【手続補正書】
【提出日】平成16年6月8日(2004.6.8)
【手続補正１】
【補正対象書類名】明細書
【補正対象項目名】特許請求の範囲
【補正方法】変更
【補正の内容】
【特許請求の範囲】
【請求項１】
監視装置から供給される監視対象の状態情報を収集し、管理する管理装置であって、
状態情報を上位の統合情報と下位の詳細情報とに階層的に設定し、詳細情報がひとつでも変化した場合には統合情報が変化するように関連付けて、前記監視装置から状態情報を収集する際、今回収集した統合情報と前回収集した統合情報とを比較し、統合情報が一致して詳細情報の変化がないと判定した場合には、情報収集時の詳細情報収集を実行しない情報判断手段を備えたことを特徴とする管理装置。
【請求項２】
前記監視装置と通信を行う通信手段と、統合情報を取得する統合情報取得手段と、前回取得した統合情報を記憶する統合情報記憶手段と、詳細情報を取得する詳細情報取得手段と、取得した詳細情報を記憶する詳細情報記憶手段とを具備し、前記情報判断手段は、前記統合情報取得手段が今回取得した統合情報と前記統合情報記憶手段に格納された前回取得の統合情報とを比較し、統合情報が一致して詳細情報の変化がないと判定した場合には、情報収集時の詳細情報の収集をせず、収集処理を終了して情報管理処理に戻る統合情報判定手段を備えたことを特徴とする請求項１記載の管理装置。
【請求項３】
前記統合情報判定手段は、詳細情報の変化があることが考えられる場合には、前記詳細情報取得手段を起動し、前記監視装置の詳細情報を取得するための状態情報取得要求を前記通信手段に指示し、取得した詳細情報に基づいてバッファ更新手段を介して前記詳細情報記憶手段の内容を更新させることを特徴とする請求項２記載の管理装置。
【請求項４】
前記情報判断手段は、入力手段から供給される入力情報に基づいて前記統合情報取得手段および前記詳細情報取得手段に前記監視装置への状態情報取得要求を供給するとともに、タイマを備え、定期的に前記統合情報取得手段に前記監視装置から統合情報を取得する時間を管理する情報収集管理手段を備えたことを特徴とする請求項２または請求項３記載の管理装置。
【請求項５】
監視装置から供給される監視対象の状態情報を収集し、管理する管理装置の管理方法であって、管理対象の統合情報を収集するステップ（Ｓ１）と、今回の統合情報と前回の統合情報を比較するステップ（Ｓ２）と、統合情報に基づいて詳細情報の変化の有無を判定するステップ（Ｓ３）と、詳細情報に変化がないと判定した場合には詳細情報の取得を省略するステップ（Ｓ４）と、詳細情報に変化があることが考えられる場合には詳細情報を取得するステップ（Ｓ５）と、収集した詳細情報を更新するステップ（Ｓ６）と、更新した詳細情報を通知するステップ（Ｓ７）と、を備えたことを特徴とする管理装置の管理方法。
【手続補正２】
【補正対象書類名】明細書
【補正対象項目名】００１２
【補正方法】変更
【補正の内容】
【００１２】
【課題を解決するための手段】
前記課題を解決するためこの発明に係る管理装置は、監視装置から供給される監視対象の状態情報を収集し、管理する管理装置であって、状態情報を上位の統合情報と下位の詳細情報とに階層的に設定し、詳細情報がひとつでも変化した場合には統合情報が変化するように関連付けて、監視装置から状態情報を収集する際、今回収集した統合情報と前回収集した統合情報とを比較し、統合情報が一致して詳細情報の変化がないと判定した場合には、情報収集時の詳細情報収集を実行しない情報判断手段を備えたことを特徴とする。
【手続補正３】
【補正対象書類名】明細書
【補正対象項目名】００１３
【補正方法】変更
【補正の内容】
【００１３】
この発明に係る管理装置は、状態情報を上位の統合情報と下位の詳細情報とに階層的に設定し、詳細情報がひとつでも変化した場合には統合情報が変化するように関連付けて、監視装置から状態情報を収集する際、今回収集した統合情報と前回収集した統合情報とを比較し、統合情報が一致して詳細情報の変化がないと判定した場合には、情報収集時の詳細情報収集を実行しない情報判断手段を備えたので、統合情報のみの収集で膨大な詳細情報の収集を必要とせず、収集する情報量を少なくすることができ、通信回線ならびに装置の負荷を抑制することができるため、運用効率の向上を図ることができる。
【手続補正４】
【補正対象書類名】明細書
【補正対象項目名】００１４
【補正方法】変更
【補正の内容】
【００１４】
また、この発明に係る管理装置は、監視装置と通信を行う通信手段と、統合情報を取得する統合情報取得手段と、前回取得した統合情報を記憶する統合情報記憶手段と、詳細情報を取得する詳細情報取得手段と、取得した詳細情報を記憶する詳細情報記憶手段とを具備し、情報判断手段は、統合情報取得手段が今回取得した統合情報と統合情報記憶手段に格納された前回取得の統合情報とを比較し、統合情報が一致して詳細情報の変化がないと判定した場合には、情報収集時の詳細情報の収集をせず、収集処理を終了して情報管理処理に戻る統合情報判定手段を備えたことを特徴とする。
【手続補正５】
【補正対象書類名】明細書
【補正対象項目名】００１５
【補正方法】変更
【補正の内容】
【００１５】
また、この発明に係る管理装置は、監視装置と通信を行う通信手段と、統合情報を取得する統合情報取得手段と、前回取得した統合情報を記憶する統合情報記憶手段と、詳細情報を取得する詳細情報取得手段と、取得した詳細情報を記憶する詳細情報記憶手段とを具備し、情報判断手段は、統合情報取得手段が今回取得した統合情報と統合情報記憶手段に格納された前回取得の統合情報とを比較し、統合情報が一致して詳細情報の変化がないと判定した場合には、情報収集時の詳細情報の収集をせず、収集処理を終了して情報管理処理に戻る統合情報判定手段を備えたので、統合情報を収集するだけで、収集する情報量を少なくすることができ、通信回線ならびに装置の負荷を抑制することができる。
【手続補正６】
【補正対象書類名】明細書
【補正対象項目名】００１６
【補正方法】変更
【補正の内容】
【００１６】
さらに、この発明に係る統合情報判定手段は、詳細情報の変化があることが考えられる場合には、詳細情報取得手段を起動し、監視装置の詳細情報を取得するための状態情報取得要求を通信手段に指示し、取得した詳細情報に基づいてバッファ更新手段を介して詳細情報記憶手段の内容を更新させることを特徴とする。
【手続補正７】
【補正対象書類名】明細書
【補正対象項目名】００１７
【補正方法】変更
【補正の内容】
【００１７】
この発明に係る統合情報判定手段は、詳細情報の変化があることが考えられる場合には、詳細情報取得手段を起動し、監視装置の詳細情報を取得するための状態情報取得要求を通信手段に指示し、取得した詳細情報に基づいてバッファ更新手段を介して詳細情報記憶手段の内容を更新させるので、統合情報に異常がある場合だけ、統合情報に関連する詳細情報を収集して更新することができ、最小限の詳細情報を収集して該当する監視装置の監視対象の異常を特定することができる。
【手続補正８】
【補正対象書類名】明細書
【補正対象項目名】００７５
【補正方法】変更
【補正の内容】
【００７５】
【発明の効果】
以上説明したように、この発明に係る管理装置は、状態情報を上位の統合情報と下位の詳細情報とに階層的に設定し、詳細情報がひとつでも変化した場合には統合情報が変化するように関連付けて、前記監視装置から状態情報を収集する際、今回収集した統合情報と前回収集した統合情報とを比較し、統合情報が一致して詳細情報の変化がないと判定した場合には、情報収集時の詳細情報収集を実行しない情報判断手段を備えたので、統合情報のみの収集で膨大な詳細情報の収集を必要とせず、収集する情報量を少なくすることができ、通信回線ならびに装置の負荷を抑制することができるため、運用効率の向上を図ることができる。
【手続補正９】
【補正対象書類名】明細書
【補正対象項目名】００７６
【補正方法】変更
【補正の内容】
【００７６】
また、この発明に係る管理装置は、監視装置と通信を行う通信手段と、統合情報を取得する統合情報取得手段と、前回取得した統合情報を記憶する統合情報記憶手段と、詳細情報を取得する詳細情報取得手段と、取得した詳細情報を記憶する詳細情報記憶手段とを具備し、情報判断手段は、統合情報取得手段が今回取得した統合情報と統合情報記憶手段に格納された前回取得の統合情報とを比較し、統合情報が一致して詳細情報の変化がないと判定した場合には、情報収集時の詳細情報の収集をせず、収集処理を終了して情報管理処理に戻る統合情報判定手段を備えたので、統合情報を収集するだけで、収集する情報量を少なくすることができ、通信回線ならびに装置の負荷を抑制することができる。
【手続補正１０】
【補正対象書類名】明細書
【補正対象項目名】００７７
【補正方法】変更
【補正の内容】
【００７７】
さらに、この発明に係る統合情報判定手段は、詳細情報の変化があることが考えられる場合には、詳細情報取得手段を起動し、監視装置の詳細情報を取得するための状態情報取得要求を通信手段に指示し、取得した詳細情報に基づいてバッファ更新手段を介して詳細情報記憶手段の内容を更新させるので、統合情報に異常がある場合だけ、統合情報に関連する詳細情報を収集して更新することができ、最小限の詳細情報を収集して該当する監視装置の監視対象の異常を特定することができる。